(57)【要約】【課題】  ＰＤＡのユーザがその時々で連絡を取りたいと思う可能性が高い他の電子機器のユーザを判断し、表示すること。【解決手段】  或る他の電子機器のユーザが、ＰＤＡのユーザがその時々で連絡を取りたいと思う可能性が高い相手であるか否かが、そのＰＤＡのユーザのステータス及び任意選択でその他の電子機器のユーザのステータスに基づいて判断される。例えば、ＰＤＡのユーザが特定のジャンルの音楽を聴いている場合、ユーザはその特定のジャンルの音楽を聴いている他のユーザと連絡を取りたいと思う可能性がある。同様に、ＰＤＡのユーザが勤務地にいる場合、ユーザは、仕事に関連した、リスト化された特定の連絡先と連絡を取りたいと思う可能性が高い。このように、ＰＤＡのユーザに、関連する連絡先のリストを提供できる。【選択図】図１
2010182308.tif 000002
【特許請求の範囲】
【請求項１】
他の電子機器が接続されたネットワークにおいて用いられる携帯型電子機器であって、
当該携帯型電子機器のユーザに対して情報を表示するように構成された画面と、
前記他の電子機器のユーザに関するステータス情報を受信するように構成された受信部とを具備し、
前記ネットワークに接続された他の電子機器のユーザに関するステータス情報が、当該携帯型電子機器のステータスと一致するか否かに基づいて、前記他の電子機器のユーザの中から、当該携帯型電子機器のユーザが連絡を取りたいと思う可能性のあるユーザを判断し、
前記連絡を取りたいと思う可能性があると判断されたユーザのうち少なくとも１人に関する情報を前記画面上に表示するように構成された
携帯型電子機器。
【請求項２】
請求項１に記載の携帯型電子機器であって、
前記他の電子機器のユーザのステータス情報をサーバから受信するように構成された
携帯型電子機器。
【請求項３】
請求項２に記載の携帯型電子機器であって、
前記ステータス情報を、ＲＳＳフィード形式のＸＭＬデータとして前記サーバから取得するように構成された
携帯型電子機器。
【請求項４】
請求項１乃至３のいずれか１項に記載の携帯型電子機器であって、
前記判断の基準となる当該携帯型電子機器のステータスは、
（ｉ）当該携帯型電子機器が実行している機能
（ｉｉ）当該携帯型電子機器が位置する場所、及び
（ｉｉｉ）当該携帯型電子機器の電源状態
のうちの少なくとも１つに関する
携帯型電子機器。
【請求項５】
請求項４に記載の携帯型電子機器であって、
前記機能は、
動画の表示、
写真の表示、
写真の撮影、
音楽の再生、
電子メールの送信、
インターネットへのアクセス、
ゲームのプレイ、及び
通話
のうちの少なくとも１つを含む
携帯型電子機器。
【請求項６】
請求項１乃至５のいずれか１項に記載の携帯型電子機器であって、
前記画面上に表示される、前記連絡を取りたいと思う可能性があると判断されたユーザに関する情報は、
（ｉ）当該連絡を取りたいと思う可能性があると判断されたユーザの連絡先情報、及び
（ｉｉ）当該連絡を取りたいと思う可能性があると判断されたユーザのステータス情報
のうちの少なくとも１つである
携帯型電子機器。
【請求項７】
請求項６に記載の携帯型電子機器であって、
前記連絡を取りたいと思う可能性があると判断されたユーザに関するステータス情報は、
（ｉ）当該連絡を取りたいと思う可能性があると判断されたユーザの電子機器が実行している機能
（ｉｉ）当該連絡を取りたいと思う可能性があると判断されたユーザの電子機器の電源状態、及び
（ｉｉｉ）当該連絡を取りたいと思う可能性があると判断されたユーザの電子機器が位置する場所
のうちの少なくとも１つである
携帯型電子機器。
【請求項８】
請求項７に記載の携帯型電子機器であって、
前記機能は、
動画の表示、
写真の表示、
写真の撮影、
音楽の再生、
電子メールの送信、
インターネットへのアクセス、
ゲームのプレイ、及び
通話
のうちの少なくとも１つを含む
携帯型電子機器。
【請求項９】
請求項１乃至８のいずれか１項に記載の携帯型電子機器であって、
当該携帯型電子機器のステータスを認識するように構成されたハードウェアをさらに具備する
携帯型電子機器。
【請求項１０】
請求項１乃至９のいずれか１項に記載の携帯型電子機器であって、
当該携帯型電子機器のステータスを認識するように構成されたソフトウェアをさらに具備する
携帯型電子機器。
【請求項１１】
請求項１乃至１０のいずれか１項に記載の携帯型電子機器であって、
当該携帯型電子機器のステータス情報を送信するように構成された送信部をさらに具備する
携帯型電子機器。
【請求項１２】
請求項１１に記載の携帯型電子機器であって、
当該携帯型電子機器自体のステータス情報をサーバに送信するように構成された
携帯型電子機器。
【請求項１３】
請求項１１又は１２に記載の携帯型電子機器であって、
当該携帯型電子機器自体のステータス情報を、ＲＳＳフィード形式のＸＭＬデータとして送信するように構成された
携帯型電子機器。
【請求項１４】
請求項１乃至１３のいずれか１項に記載の携帯型電子機器であって、
当該携帯型電子機器のステータスが変化したとき、当該携帯型電子機器のユーザが連絡を取りたいと思う可能性のある他の電子機器のユーザを判断し直すようにさらに構成された
携帯型電子機器。
【請求項１５】
請求項１乃至１４のいずれか１項に記載の携帯型電子機器であって、
前記連絡を取りたいと思う可能性があると判断されたユーザが位置する場所を地図地図上に表示できるように構成された
携帯型電子機器。
【請求項１６】
携帯型電子機器の画面に表示する特定連絡先の決定方法であって、
他の電子機器に関するステータス情報を受信し、
前記受信したステータス情報と前記携帯型電子機器のステータスを比較し、
前記別の電子機器のステータス情報が、前記携帯型電子機器のステータスに一致するか否かに基づいて、前記携帯型電子機器のユーザが前記別の電子機器のユーザと連絡を取りたいと思うか否かを判断する
特定連絡先の決定方法。
【請求項１７】
請求項１６に記載の特定連絡先の決定方法であって、さらに、
複数の他の電子機器に関するステータス情報を受信し、前記比較するステップ及び前記判断するステップを、当該複数の他の電子機器のそれぞれについて実行する
特定連絡先の決定方法。
【請求項１８】
請求項１６又は１７に記載の特定連絡先の決定方法であって、さらに、
前記携帯型電子機器のユーザが連絡を取りたいと思う可能性があると判断された前記他の電子機器のユーザに関する情報を表示する
特定連絡先の決定方法。
【請求項１９】
請求項１６乃至１８に記載の特定連絡先の決定方法であって、
当該方法における各ステップは、前記携帯型電子機器により実行される
特定連絡先の決定方法。
【発明の詳細な説明】
【技術分野】
【０００１】
本発明は、携帯型情報端末（Personal Digital Assistant:ＰＤＡ）に関し、より詳細には、個人的な連絡先と連絡を取るためのＰＤＡに関する。また、本発明は、ＰＤＡを用いて個人的な連絡先と連絡を取る方法に関する。
【背景技術】
【０００２】
今日では、ユーザはＰＤＡを用いて様々な機能を実行することができる。例えば、ＰＤＡを用いて、（例えば電子手帳を提供することにより）予定を組む、インターネットに接続する、音楽を聴く、写真を撮影及び／又は閲覧する、動画を見る、（例えばＧＰＳにより）方向を提示する、文書を作成及び編集する等の機能を実行することができる。また、ＰＤＡを用いて、郵便の宛先、電子メールアドレス、及び電話番号等の連絡先の詳細情報を記憶することもできる。したがって、ＰＤＡは電子アドレス帳を有することができる。典型的には、ＰＤＡを用いて、連絡を取りたい連絡先を表示・選択することができ、これにより、ＰＤＡのユーザは、選択した連絡先と、例えば電話又は電子メールによって連絡を取ることができる。
【先行技術文献】
【特許文献】
【０００３】
【特許文献１】欧州特許出願公開第１８０２１４５号明細書
【特許文献２】国際公開第０３／０２８３４５号パンフレット
【特許文献３】国際公開第２００８／０７９７０７号パンフレット
【特許文献４】米国特許出願公開第２００９／００２８１７９号明細書
【特許文献５】欧州特許出願公開第１１７６８４０号明細書
【特許文献６】国際公開第２００９／００２３１２号パンフレット
【特許文献７】米国特許出願公開第２００７／１４０４１１号明細書
【特許文献８】欧州特許出願公開第１９９３２７０号明細書
【特許文献９】欧州特許出願公開第１０７１２９５号明細書
【特許文献１０】米国特許出願公開第２００５／０１０８４３８号明細書
【特許文献１１】国際公開第２００８／０２５４７２号パンフレット
【発明の概要】
【発明が解決しようとする課題】
【０００４】
現在では、ＰＤＡのアドレス帳の中の連絡先を、任意の順で並べることができる。例えば、連絡先はアルファベット順に並べられる。しかし、ＰＤＡのユーザは、これらの連絡先（連絡相手）の現在の状態（ステータス）についての付加的な情報を何ら提供されない。
【０００５】
本明細書において、本発明の実施形態はＰＤＡに関連して説明される。しかしながら、本発明の実施形態は、任意の電子機器であってよく、且つ／又は、任意の電子機器と共に用いられるか、又は任意の電子機器に適用されてもよい。具体的には、本発明の実施形態は、例えばスマートフォン、ネットブック又はノート型コンピュータ等の任意の携帯機器であってよく、且つ／又は、任意の携帯機器と共に用いられるか、又は任意の携帯機器に適用されてもよい。
【課題を解決するための手段】
【０００６】
本発明の一実施形態によれば、他の電子機器が接続されたネットワークにおいて用いられる携帯型電子機器が提供される。当該携帯型電子機器は、当該携帯型電子機器のユーザに対して情報を表示するように構成された画面を具備する。前記携帯型電子機器は、当該携帯型電子機器のステータスに基づいて、前記ネットワークに接続された他の電子機器のユーザの中から、前記携帯型電子機器のユーザが連絡を取りたいと思う可能性のあるユーザを判断し、当該連絡を取りたいと思う可能性があると判断されたユーザのうち少なくとも１人に関する情報を前記画面に表示するように構成される。
【０００７】
このような携帯型電子機器により、前記携帯型電子機器のユーザがその時々で連絡を取りたいと思う可能性のある特定のユーザ（例えば、前記携帯型電子機器のユーザの連絡先として前記携帯型電子機器に保存されている特定のユーザ）に関する連絡先情報等を、前記携帯型電子機器のユーザに対して表示することができる。前記携帯型電子機器のステータスに基づいて前記特定連絡先を判断することは、特に関連の高い連絡先を前記携帯型電子機器のユーザに対して表示することができることを意味する。
これにより、ユーザは、すべての連絡先を検索する必要がなくなり、且つ／又はその時に連絡を取りたいと思わない連絡先に連絡してしまい時間を無駄にする必要がなくなり、時間を節約することができる。
【０００８】
本発明の一実施形態によれば、前記携帯型電子機器は、前記他の電子機器のユーザに関する情報を受信するように構成された受信部をさらに具備してもよい。当該受信部を設けることにより、前記携帯型電子機器は、他の電子機器についてのステータス情報を受信できるようになる。このステータス情報を用いることにより、前記携帯型電子機器のユーザが他の電子機器のユーザと連絡を取りたいと思うか否かを容易に判断できる。
【０００９】
本発明の一実施形態によれば、前記携帯型電子機器は、前記他の電子機器のユーザのステータス情報をサーバから受信するように構成されてもよい。これにより、情報を中央のソースから効率的に受信できるようになる。
【００１０】
本発明の一実施形態によれば、前記携帯型電子機器は、前記ステータス情報を、ＲＳＳフィード形式のＸＭＬデータとして前記サーバから取得するように構成されてもよい。これは、前記携帯型電子機器が前記他の電子機器のステータス情報を受信するために特に効率的な方法である。
【００１１】
本発明の一実施形態によれば、前記携帯型電子機器のユーザが連絡をとりたいと思う可能性のある他の電子機器のユーザは、それら他の電子機器のステータスが前記電子機器のステータスと一致するか否かに基づいて判断されてもよい。このように、前記携帯型電子機器と共通する少なくとも１つのステータスを有する他の電子機器、つまり連絡を取りたいと思う可能性が高いユーザに関する情報を、前記携帯型電子機器のユーザに対して表示することができる。
【００１２】
本発明の一実施形態によれば、前記判断の基準となる前記携帯型電子機器のステータスは、（ｉ）当該携帯型電子機器が実行している機能、（ｉｉ）当該携帯型電子機器が位置する場所、及び（ｉｉｉ）当該携帯型電子機器の電源状態のうちの少なくとも１つに関するものであってよい。
【００１３】
前記携帯型電子機器のユーザが他の電子機器のユーザと特に連絡を取りたいか否かを判断する際に、これらのステータス情報の項目のうちいずれか１つが特に役立つ可能性がある。
【００１４】
本発明の一実施形態によれば、前記機能は、動画の表示、写真の表示、写真の撮影、音楽の再生、電子メールの送信、インターネットへのアクセス、ゲームのプレイ、通話のうちの少なくとも１つを含んでよい。
【００１５】
これらの機能のうち少なくとも１つは、ＰＤＡ等の電子機器において典型的に利用可能である。しかし、携帯型電子機器の機能はこれらの機能に限られるものではなく、ＰＤＡ等の電子機器のユーザにとって利用可能な他の機能を含んでいてもよい。
【００１６】
本発明の一実施形態によれば、前記画面に表示される、前記連絡を取りたいと思う可能性があると判断されたユーザに関する情報は、（ｉ）当該連絡を取りたいと思う可能性があると判断されたユーザの連絡先情報、及び（ｉｉ）当該連絡を取りたいと思う可能性があると判断されたユーザのステータス情報のうちの少なくとも１つであってよい。
【００１７】
ステータス情報が表示されると、前記携帯型電子機器のユーザは、そのステータス情報を用いて、他の電子機器のユーザと連絡を取るか否かを最終的に判断することができる。連絡先情報が表示されることにより、前記携帯型電子機器のユーザは、連絡を取りたい他の電子機器のユーザとより簡単に連絡を取ることができるようになる。
【００１８】
本発明の一実施形態によれば、前記絡を取りたいと思う可能性があると判断されたユーザのステータス情報は、（ｉ）当該連絡を取りたいと思う可能性があると判断されたユーザの電子機器が実行している機能、（ｉｉ）当該連絡を取りたいと思う可能性があると判断されたユーザの電子機器の電源状態、及び（ｉｉｉ）当該連絡を取りたいと思う可能性があると判断されたユーザの電子機器が位置する場所のうちの少なくとも１つであってよい。
【００１９】
前記携帯型電子機器のユーザが他の電子機器のユーザと連絡を取るか否かを判断する際に、これらのステータス情報の項目のうちの１つ又は複数が役立つ可能性がある。例えば、前記携帯型電子機器のユーザは、他の電子機器のユーザが同じ機能を実行している、且つ／又は同じ若しくは関連のある場所にいる場合に、そのユーザと連絡を取りたいと思うこともあり得る。さらに、前記携帯型電子機器のユーザは、他の電子機器の電源がオフになっている場合、その電子機器のユーザと連絡を取らないことを決定することもあり得る。
【００２０】
本発明の一実施形態によれば、前記機能は、動画の表示、写真の表示、写真の撮影、音楽の再生、電子メールの送信、インターネットへのアクセス、ゲームのプレイ、及び通話のうちの少なくとも１つを含んでよい。
【００２１】
これらの機能のうち少なくとも１つは、ＰＤＡ等の電子機器において典型的に利用可能である。しかし、も携帯型電子機器の機能はこれらの機能に限られるのではなく、ＰＤＡ等の電子機器のユーザにとって利用可能な他の機能を含んでいてもよい。前記携帯型電子機器のユーザにとって、別の電子機器のユーザが上記の機能のうちの１つを実行しているか否かを知ることは、例えば、その別の機器のユーザと連絡を取るか否かを決定する際に特に有用である。例えば、前記携帯型電子機器のユーザは、他の電子機器のユーザがゲームをプレイ中である場合、例えばインターネットを介してそのゲームに参加したいと思うこともあり得る。
【００２２】
本発明の一実施形態によれば、前記携帯型電子機器は、当該携帯型電子機器のステータスを認識するように構成されたハードウェア及び／又はソフトウェアをさらに具備してもよい。
【００２３】
ハードウェアが用いられる場合、前記携帯型電子機器は、ソフトウェアを必要とすることなく、自身のステータスを直接認識することができる。例えば、前記携帯型電子機器は、ヘッドホンのプラグが当該携帯型電子機器に挿入されたとき、自身が音楽鑑賞に用いられていることを認識することができる。
【００２４】
ソフトウェアが用いられる場合、そのソフトウェアを、前記携帯型電子機器の特定の機能に合わせて設定、及び／又は必要に応じて更新することができる。
【００２５】
本発明の一実施形態によれば、前記携帯型電子機器は、当該携帯型電子機器のステータス情報を送信するように構成された送信部をさらに具備してもよい。これにより、前記携帯型電子機器のステータス情報を他の電子機器のユーザが利用できるようになる。このステータス情報を他の電子機器のユーザが用いることにより、他の電子機器のユーザは、前記携帯型電子機器のユーザと連絡を取るか否かをより容易に決定できるようになる。
【００２６】
本発明の一実施形態によれば、前記携帯型電子機器は、当該携帯型電子機器自体のステータス情報をサーバに送信するように構成されてもよい。ステータス情報をサーバに送信することは、多数の他の電子機器がそのステータス情報を利用できるようにするために効率的な方法である。
【００２７】
本発明の一実施形態によれば、前記携帯型電子機器は、当該携帯型電子機器自体のステータス情報を、ＲＳＳフィード形式のＸＭＬデータとして送信するように構成されてもよい。これは、情報を送信するために特に効率的な方法である。
【００２８】
本発明の一実施形態によれば、前記携帯型電子機器は、当該携帯型電子機器のステータスが変化したとき、当該携帯型電子機器のユーザが連絡を取りたいと思う可能性のある他の電子機器のユーザを判断し直すようにさらに構成されてもよい。このようにして、連絡を取りたいと思う可能性のある他の電子機器のユーザのリストを最新に保つことができ、ひいては前記携帯型電子機器のユーザにとって常に有用な状態にしておくことができる。
【００２９】
本発明の一実施形態によれば、前記携帯型電子機器は、前記連絡を取りたいと思う可能性があると判断されたユーザが位置する場所を地図上に表示できるように構成されてもよい。前記連絡を取りたいと思う可能性があると判断されたユーザが位置する場所を地図上に表示することにより、前記携帯型電子機器のユーザに、他の電子機器のユーザと連絡を取るか否かを決定する際に役立つさらなる情報が提供される。また、この情報は、他の電子機器のユーザと連絡を取ると決定した場合、そのユーザと会うために最適な情報でもある。
【００３０】
また、本発明の一実施形態によれば、携帯型電子機器の画面に表示する特定連絡先の決定方法が提供される。当該方法は、他の電子機器のステータス情報を受信し、前記受信したステータス情報と前記携帯型電子機器のステータスを比較し、前記別の電子機器のステータス情報が、前記携帯型電子機器のステータスに一致するか否かに基づいて、前記携帯型電子機器のユーザが前記別の電子機器のユーザと連絡を取りたいと思うか否かを判断する。
【００３１】
これにより、前記携帯型電子機器のユーザが連絡を取りたいと思う可能性のある他の電子機器のユーザを判断することができる。これにより、前記携帯型電子機器のユーザは、誰と連絡を取るかをより効率的に決定できるようになる。
【００３２】
本発明の一実施形態によれば、前記特定連絡先の決定方法は、さらに、複数の他の電子機器に関するステータス情報を受信し、前記比較するステップ及び前記判断するステップを、当該複数の他の電子機器のそれぞれについて実行してもよい。
【００３３】
これにより、複数の他の電子機器を、前記携帯型電子機器のユーザが連絡を取りたいと思う可能性のあるユーザとして当該携帯型電子機器のユーザに対して表示するか否かを、その複数の他の電子機器のステータスを用いて、より容易に決定することができる。
【００３４】
前記特定連絡先の決定方法は、前記携帯型電子機器のユーザが連絡を取りたいと思う可能性があると判断された前記他の電子機器のユーザに関する情報を表示してもよい。
【００３５】
これにより、前記携帯型電子機器のユーザに対し、当該携帯型電子機器のユーザが連絡を取りたいと思う可能性のある他の電子機器のユーザ（又は連絡先）に関する情報を表示できるようになる。
【００３６】
前記特定連絡先の決定方法の各ステップは、前記携帯型電子機器によって実行されてよい。これは、前記特定連絡先の決定方法の各ステップを実行し、それに伴う利点を提供するために、前記携帯型電子機器以外のハードウェア又はソフトウェアは何ら必要ないことを意味する。
【図面の簡単な説明】
【００３７】
【図１】特定連絡先画面が表示された、本発明の一実施形態に係るＰＤＡの正面図である。
【図２】本発明の一実施形態に係るＰＤＡの側面図である。
【図３】連絡先画面が表示された、本発明の一実施形態に係るＰＤＡの正面図である。
【図４】連絡先が位置する場所を示すマップが表示された、本発明の一実施形態に係るＰＤＡの正面図である。
【図５】マップ画面にアクセスするためのＰＤＡの傾きを示す、本発明の一実施形態に係るＰＤＡの側面図である。
【図６】ホームページが表示された、本発明の一実施形態に係るＰＤＡの正面図である。
【発明を実施するための形態】
【００３８】
本発明は、添付の図面を参照して、例示としてのみ提示される以下の説明により、より明確に理解される。
【００３９】
図１は、本発明の一実施形態に係るＰＤＡ１００を示す。図１に示す実施形態では、ＰＤＡ１００上に表示画面１０が設けられる。この表示画面１０は、２つの主領域に分割されている。第１の領域２０は、現在選択されている機能を示す（機能については後に説明する）。第２の領域は、図１に示す実施形態では画面下側に示されており、その他の選択可能な各種機能を、ボックス３０、４０、５０、６０及び７０によって示す。ボックス３０、４０、５０、６０及び７０の選択可能な機能が選択されると、その機能が第１の領域（メインウィンドウとも呼ぶ）２０に表示される。
【００４０】
図２は、図１に示すＰＤＡ１００の側面図を示す。図２から分かるように、各種の入力ポート／出力ポート及び／又は入力ソケット／出力ソケットがＰＤＡ１００の側面に設けられてよい。このようなポート／ソケットは、例えば、ヘッドホンソケット２００、ＵＳＢポート２１０、及び電源ソケット２２０である。その他の典型的な入力ポート／出力ポート及び／又は入力ソケット／出力ソケットがＰＤＡ１００に設けられてもよい。さらに、実施形態によっては、ポート／ソケットをＰＤＡ１００の側面に設ける代わりに、又はそれに加えて、１つ又は複数、又は全てのポート／ソケットをＰＤＡ１００の前面、背面、上面又は底面に設けてもよい。
【００４１】
ＰＤＡ１００は、制御部を有してもよい。制御部は、処理部及び／又は記憶装置及び／又はＲＡＭ（Random Access Memory）を有してもよい。制御部を用いて、後に説明するＰＤＡ１００の各種機能を制御することができる。
【００４２】
再び図１を参照して、ＰＤＡ１００は、上述のように、表示画面１０の下半分において適当なボックス３０〜７０を選択することにより、各種の異なる動作モードをメインウィンドウ２０に表示するように構成されてよい。図１に示す実施形態では、動作モードは、「連絡先（ボックス３０を選択することによりアクセスされる）」、「特定連絡先（ボックス４０を選択することによりアクセスされる）」、「マップ（ボックス５０を選択することによりアクセスされる）」、「ホームページ（ボックス６０を選択することによりアクセスされる）」、及び「更新（ボックス７０を選択することによりアクセスされる）」を含む。その他の各種の動作モードが用いられ、選択されてもよい。
【００４３】
図１では、特定連絡先ボックス４０が強調表示されていることから、メインウィンドウ２０が特定連絡先を表示していることが分かる。特定連絡先画面が表示されているとき、ＰＤＡ１００のユーザの種々の連絡先２０１〜２０５がメインウィンドウ２０に表示される。しかし、後に説明するように、ＰＤＡ１００のユーザにとって利用可能なすべての連絡先を、特定連絡先画面を介してアクセス可能としなければならない訳ではない。特定連絡先画面に表示される連絡先は、その時々でユーザの必要に応じて適宜設定してよい。
【００４４】
各連絡先２０１〜２０５は、アバターとして表示されてよい。図１では、各アバター２０１〜２０５は同じものとして示されている。しかし、実施形態によっては、各連絡先に特有のアバターが用いられてもよい。例えば、各アバターは、連絡先（連絡相手）を表す絵であってもよい。或いは、特定連絡先について、任意の他の適切な画像、例えば彼らの写真等が表示されてもよい。例えば、アバターの代わりに、又はそれに加えて、連絡先（連絡相手）の名前が用いられてもよい。図１に示す実施形態では、特定連絡先は、アバターと名前の両方によって示される。
【００４５】
特定連絡先を（例えばアバター２０１〜２０５として）示すことに加え、特定連絡先画面は、各特定連絡先の状態（ステータス）を示してもよい。例えば、メインウィンドウ２０は、各特定連絡先のＰＤＡがどのような活動を行っているかについての詳細を示してもよい。例えば、図１に示すメインウィンドウ２０では、アバター２０１の隣に音符が表示されており、これは特定連絡先の一人であるアランが音楽を聴いていることを示す。同様に、アバター２０２、２０３及び２０４の隣に、ビデオテープ、「ｚｚｚ」マーク、電話マークがそれぞれ表示されている。これは、リンはＰＤＡを用いてビデオクリップを視聴しており、マイケルのＰＤＡは現在スリープモードにあり、スーザンはＰＤＡを用いて電話していることを示している。
【００４６】
これに代えて、又はこれに加えて、特定連絡先のステータスとして、各連絡先の地理的な位置を示してもよい。例えば、ジルのアバター２０５の隣には、オフィスビルが表示されており、これはジルが勤務地にいることを示している。実施形態によっては、１つのアバターの隣に２つ以上のステータスアイコンが表示されてもよい。例えば、或る連絡先が仕事と音楽鑑賞の両方を行っている場合、「仕事中」アイコン及び「音楽鑑賞」アイコンがその連絡先のアバターの隣に表示される。しかし、別の実施形態では、１つのステータスアイコンのみが表示されてもよい。例えば、或る連絡先が仕事と音楽鑑賞の両方を行っている場合、「音楽鑑賞」アイコンだけが表示されてもよい。図１では、連絡先のうちの１人（ジル）のみが「仕事中」アイコンと共に表示されているが、後に説明するように、これらの連絡先の全員が各自の勤務地にいることもあり得る。
【００４７】
各種アバターをスクロールすることによって、特定連絡先ウィンドウにおける任意の連絡先を強調表示し、選択してもよい。スクロール動作は、ＰＤＡ１００をｚ軸を中心として傾けることにより実現することができる（これについては、図３に示す連絡先スクリーンを表示するメインウィンドウ２０に関連して後述する）。或いは、このスクロール動作は、ユーザが指又は入力スタイラスを用いて、タッチセンサ式入力装置（図示しないタッチパッド等）上でスクロールすることにより行うこともできる。或いは、例えばメインウィンドウ２０内の、矢印２０６によって示される領域のように、ユーザがメインウィンドウ２０自体を指又は入力スタイラスを用いてスクロールさせることによっても、スクロール動作を実現することができる。或いは、ＰＤＡ１００に設けられた図示しないボタンを用いてスクロール動作を実現することもできる。
【００４８】
或る連絡先が選択のために強調表示されると、その外観が変化する。これにより、ＰＤＡ１００のユーザは、どの連絡先が選択のために強調表示されているかを容易に認識することができる。例えば、図１に示す実施形態では、連絡先２０３（マイケル）が画面上の他の連絡先よりも大きく表示され、この連絡先が強調表示されていることが分かる。
【００４９】
どの連絡先を特定連絡先用のメインウィンドウ２０に表示するかは、ＰＤＡ１００のユーザの必要に応じて適宜設定することができる。この設定処理については、本明細書の後段で詳細に説明する。
【００５０】
上述のように、ＰＤＡ１００の特定連絡先機能が選択されると、ＰＤＡ１００のメインウィンドウ２０は図１に示すようになる。一方、ＰＤＡ１００の連絡先機能が選択されると、ＰＤＡ１００の表示画面１０は図３に示すようになる。図３に示すように、ＰＤＡ１００の連絡先機能が選択されると、メインウィンドウ２０を介して、ＰＤＡ１００のユーザにとって利用可能なすべての連絡先にアクセスできるようになる。連絡先は、適当な順番で並べられてよい。例えば、連絡先は、図３に示すようにアルファベット順で並べられてよい。
【００５１】
特定連絡先画面の場合と同様に、特定の方法で連絡先をスクロールすることにより、任意の連絡先が強調表示され、選択される。例えば、タッチセンサ式入力装置（タッチパッド等）を用いて連絡先をスクロールすることが可能である。このタッチセンサ式入力装置は、ＰＤＡ１００と別個に設けられてもよく、又はメインウィンドウ２０に組み込まれてもよい。例えば、タッチセンサ式入力装置は、図３の矢印２０６で示された領域に設けられたタッチパッドであってもよい。
【００５２】
これに代えて、又はこれに加えて、ＰＤＡ１００を傾けることによって、図３に示す連絡先をスクロールしてもよい。例えば、ＰＤＡ１００をｚ軸、すなわち図３の紙面に対して垂直な軸を中心として傾けることにより、連絡先をスクロールすることが可能である。図３に示す実施形態では、ｚ軸（すなわち、連絡先をスクロールするためのＰＤＡ１００の回転の中心となる軸）が、表示画面１０に対して垂直であるように示されている。ＰＤＡ１００を反時計回りに（すなわち、図３の紙面に対して垂直な軸を中心として、ＰＤＡ１００が図１から図３に回転された方向に）回転させると、連絡先が一方向（すなわち、左から右）にスクロールされる。一方、ＰＤＡ１００を時計回りに（すなわち、図３の紙面に対して垂直な軸を中心として）回転させると、連絡先は異なる方向、つまり反対方向（すなわち、右から左）にスクロールされる。図１のメインウィンドウ２０に示す特定連絡先も、上述したようにＰＤＡ１００を傾けることによりスクロールさせることができる。
【００５３】
ＰＤＡ１００が傾けられるか、又は例えば表示画面１０に対して垂直な軸を中心に回転されたときに連絡先のスクロールを実行するために、ＰＤＡ１００には、適当な傾斜センサが設けられてもよい。たとえば、傾斜センサとしてジャイロセンサが用いられてもよい。さらに、傾斜センサは、ＰＤＡ１００がｚ軸を中心として回転した角度（すなわち、中立位置からの角度。ここで、中立位置とは、例えば図３に示すＰＤＡ１００の側面が垂直面又は水平面のいずれかに位置するときの位置をいう。）を判定するように構成されてもよい。この角度を用いて、連絡先がスクロールされる速度が判定されてもよい。実施形態によっては、連絡先がスクロールされる速度は、ＰＤＡ１００の回転速度に関連付けられてよい。このＰＤＡ１００の回転速度は、傾斜ジャイロセンサ等の傾斜センサによって判定される。
【００５４】
ＰＤＡ１００は、ＰＤＡ１００の傾きにより連絡先がどのようにスクロールされるかを処理する制御部を有してもよい。例えば、制御部は、傾斜センサの出力を連絡先のスクロール速度に変換してもよい。
【００５５】
図１に示した特定連絡先に関連して説明したように、図３に示す連絡先画面における各連絡先は、アバター若しくは名前、又はその両方によって示されてよい。さらに、各連絡先のステータスも、メインウィンドウ２０に表示される。メインウィンドウ２０は、各連絡先を適当な方法で表示する。連絡先のステータスは、図１に示す特定連絡先に関連して上述した方法で表示されてもよい。
【００５６】
図４は、ＰＤＡ１００のマップ連絡先機能が適当な方法で選択されたときのＰＤＡ１００の表示画面１０を示す。図４に示すように、ＰＤＡ１００のマップ連絡先機能が選択されると、メインウィンドウ２０にマップが表示される。メインウィンドウ２０は、１つ又は複数の連絡先の、マップ上での位置を示す。図４に示す例では、連絡先「アラン」が、「ノリッチロード」と「ロングスタントン高架道路」の合流点に位置することが示される。これは、マップ上でのアランのアバターの位置によって表される。
【００５７】
同じマップ上に存在しない他の連絡先が位置する方向を、（例えばその連絡先を表すアバターによって）マップ上で示すことにより、その連絡先の位置にアクセスすることも可能である。そして、その連絡先が（例えば、タッチパッド等のタッチセンサ式入力装置を用いて）選択され、マップがその連絡先の位置にスクロールする。
【００５８】
実施形態によっては、マップ機能において利用可能な複数の連絡先の間を、連絡先画面にて上述した方法と同じ方法でスクロールさせることができる。
【００５９】
マップ連絡先機能は、連絡先画面（図３）又は特定連絡先画面（図１）のいずれかがメインウィンドウ２０に表示されているときにアクセスされてもよい。マップ連絡先機能が選択された場合、マップ上で示される連絡先は、連絡先画面又は特定連絡先画面のいずれかにおいて予め強調表示され、選択された連絡先であってよい。しかし、典型的には、マップ連絡先機能は、特定連絡先画面が表示されているときにアクセスされる。したがって、マップ上に示される連絡先は、強調表示された特定連絡先である。さらに、マップの縁部の周囲に表示されている（つまり、マップ上で選択・閲覧可能な）連絡先は、残りの特定連絡先のうちの何人か、又は全員であってよい。
【００６０】
マップ連絡先機能は、任意の適当な方法でアクセスされてよい。例えば、マップ連絡先機能は、表示画面１０のマップ連絡先入力領域５０を選択することによって選択することができる。これは、例えばタッチセンサ式入力装置を用いることにより行ってもよい。このタッチセンサ式入力装置自体がマップ連絡先入力領域を有していてもよく、そうでなくてもよい。
【００６１】
本発明の一実施形態では、マップ連絡先機能は、ＰＤＡ１００を傾けるか又は回転させることにより選択されてもよい。例えば、マップ連絡先機能は、図１に示すｘ軸を中心としてＰＤＡ１００を傾けることにより選択されてもよい。したがって、図５を参照して、マップ連絡先機能を選択するために、ＰＤＡ１００は、符号Ａで示す実質的に垂直な位置から、符号Ｂで示す実質的に水平な位置に傾けられる（ＰＤＡ１００は、位置Ｂにおいて破線で表され、位置Ａにおいて実線で示される）。したがって、ＰＤＡ１００が実質的に垂直な位置Ａにあるときは、特定連絡先画面がメインウィンドウ２０を占め、ＰＤＡ１００がｘ軸（すなわち、ＰＤＡ１００の長手方向にわたって延びる軸）を中心として、図５に示す位置Ｂまで回転されると、マップ連絡先機能がメインウィンドウ２０に表示される。上述のように、メインウィンドウ２０においてマップ上に示される連絡先は、典型的には、メインウィンドウ２０上で特定連絡先機能において予め強調表示され、選択された連絡先である。
【００６２】
マップ連絡先機能は、ＰＤＡ１００を任意の適当な角度に回転させることによりアクセスすることができる。典型的には、この回転は、図５に示すようにｘ軸（すなわち、水平軸且つ／又はＰＤＡ１００の表示画面１０の長手方向の平面に対して平行な軸）を中心として行われるが、任意の適当な回転軸を選択してよい。
【００６３】
実施形態によっては、マップにアクセスするために、ＰＤＡ１００を、図５においてＡとして示す実質的に垂直な位置から回転させなくてもよい。さらに、実施形態によっては、マップにアクセスするために、ＰＤＡ１００を、図５においてＢとして示す実質的に水平な位置まで回転させなくてもよい。つまり、水平面と、ＰＤＡ１００の平面（例えば、ＰＤＡ１００の表示画面１０によって規定される平面）との間の角度をθと定義した場合、マップ連絡先機能が起動される（すなわち、ＰＤＡ１００がマップ連絡先機能に切り替わる）ときの値θ１は、任意の適当な角度であってよい。例えば、θ１の取り得る値は、０度〜８０度、１０度〜７０度、２０度〜６０度、又は３０度〜５０度であってもよく、例えば４０度又は４５度等の特定の値であってもよい。
【００６４】
別の実施形態では、マップ連絡先画面は、ＰＤＡ１００が実質的に水平な位置から実質的に垂直な位置に回転されたときにアクセスされてもよい。
【００６５】
ＰＤＡ１００は、制御部を有してもよい。制御部は、本明細書においてマップ連絡先機能に関連して説明した機能のいずれかを制御するために用いられる。例えば、制御部を用いて、傾斜センサからの出力を、マップ連絡先画面の表示命令に変換してもよい。
【００６６】
上述のように、マップ連絡先機能が起動されると、ＰＤＡ１００のユーザに対し、１つ又は複数の連絡先のマップ上での位置を示す情報が提示される。その後、ＰＤＡ１００のユーザは、この情報を用いて何らかの決定をすることができる。例えば、或る連絡先の位置が、ＰＤＡ１００のユーザがそのマップ上の連絡先に連絡を取ったり、情報を送信したりしたいかどうかに影響を与える場合がある。単にＰＤＡ１００を傾けたり、回転させたりすることでマップ連絡先機能にアクセスできるので、ＰＤＡ１００のユーザは、必要に応じてマップ連絡先機能に容易にアクセスすることができる。
【００６７】
上述したように、本発明の実施形態に係るＰＤＡ１００は、様々な機能を有する。例えば、ＰＤＡ１００は、少なくとも、従来技術のＰＤＡ１００において既知である機能をすべて有してもよい。したがって、ＰＤＡ１００により、そのＰＤＡ１００のユーザは、ビデオクリップの閲覧、写真の閲覧、音楽鑑賞、インターネットへのアクセス、電子メールの送信、電子手帳機能、ＧＰＳ機能の実行（ＰＤＡ１００の現在の位置を提供する等）、通話、テキストメッセージの送信、ゲームのプレイ、スプレッドシード及び／又はその他の文書の作成／保存のうち、１つ又は複数の機能を実行することができる。
【００６８】
ＰＤＡ１００が実行できる各種の機能は、図６に示すホームページ６００上に表示され、また、このホームページ６００を介してアクセスすることができる。ホームページ６００は、表示画面１０に表示される任意の他の画面からアクセス可能である。例えば、ホームページ６００は、ＰＤＡ１００の表示画面１０上の、ホームページ６００に対応する領域６０を選択することによりアクセスされる。ホームページ６００へのアクセスを提供する領域６０は、適当な手段により選択されてよい。例えば、タッチパッド等のタッチセンサ式入力装置によって領域６０を選択してもよい。ホームページ６００にアクセスすると、ユーザは、ＰＤＡ１００の各種機能を（例えばタッチパッド等のタッチセンサ式入力装置を用いて）選択し、利用することができる。
【００６９】
本発明の一実施形態に係るＰＤＡ１００に、図６を参照して説明したそのままのメニュー構造及びレイアウトを用いなければならない訳ではない。例えば、実施形態によっては、メニュー構造は少なくとも部分的に階層状になっていてもよい。これは、例えばホームページ（図６を参照して説明したものと同じであっても、そうでなくてもよい）が階層的なメニュー構造の最上にあり、各種の他の画面（連絡先画面、特定連絡先画面、及びマップ連絡先画面等）が、階層的メニュー構造の少なくとも１つ下のレベルに配置されることを意味する。
【００７０】
次に、上記特定連絡先がどのように選択・決定され、図１のメインウィンドウ２０における特定連絡先画面上に表示されるかについて説明する。
【００７１】
本発明の一実施形態によれば、ＰＤＡ１００は、そのＰＤＡ１００自体のステータス情報を（例えばアンテナを有する送信部を用いて）送信又は転送するように構成されてもよい。このステータス情報は、他の機器によって受信される。例えば、ＰＤＡ１００のステータスの詳細を他の電子機器、例えばＰＤＡ１００と同じ又は同様のタイプのＰＤＡに送信してもよい。これにより、他の電子機器（他のＰＤＡ１００等）が、ＰＤＡ１００からステータス情報を受信することができ、そのＰＤＡ１００のステータスを知ることができる。
【００７２】
同様に、本発明の一実施形態によれば、ＰＤＡ１００は、他の電子機器のステータスに関するステータス情報を（例えばアンテナを有する受信部を用いて）受信又は取得するように構成されてもよい。他の電子機器は、例えば、ＰＤＡ１００と同じ又は異なるタイプの他のＰＤＡである。さらに、ＰＤＡ１００は、例えば、ＰＤＡ１００のユーザが特定連絡先機能を選択した場合に、どの特定連絡先を表示するかを選択する処理において、その受信／取得したステータス情報を用いるように構成されてもよい。この処理については後述する。
【００７３】
ＰＤＡ１００からのステータス情報を他の機器が利用できるようにするために、ＰＤＡ１００は、ＸＭＬ（Extensible Markup Language）データを１つ又は複数のＲＳＳ（RDF Site Summary、Really Simple SyndicationまたはRich Site Summary）フィードとしてサーバに送信するように構成されてもよい。典型的には、このＸＭＬパケットは、ＰＤＡ１００のステータス情報を含む。その後、このステータス情報は、サーバに保存される。他の機器（他のＰＤＡ等）は、サーバにアクセスして、ＰＤＡ１００のステータス情報にアクセスするように構成されてもよい。その後、この情報は、ＸＭＬデータの形式で、例えばＲＳＳフィードを用いてサーバから１つ又は複数の他の機器に供給される。同様に、ＰＤＡ１００は、例えば上記で概説した方法を用いて、他の電子機器（他のＰＤＡ等）のステータス情報が保存されたサーバにアクセスするように構成されてもよい。このようにして、ＰＤＡ１００は、他の機器（例えば、他のＰＤＡ１００）のステータス情報にアクセスすることができる。
【００７４】
このような実施形態では、サーバに接続された各電子機器（例えば、ＰＤＡ１００）は、サーバ上に、自身の各ＵＲＩ（Uniform Resource Identifier）を有してもよい。これにより、特定のＵＲＩを有する電子機器に対し、ＲＳＳフィード（例えば、その電子機器の位置情報を含む）を、定期的にサーバから検索及び／又はサーバに送信することができる。
【００７５】
ＰＤＡ１００のステータス情報を含むＲＳＳフィードを受信するように構成されたサーバは、ＰＤＡ１００の取り得るステータスの所定のリストを有してもよい。この場合、ＰＤＡ１００は、そのＰＤＡ１００が現在、当該所定のリストのうちのどのステータスであるかを示す情報を（例えばＲＳＳフィードを介して）サーバに提供する。同様に、他の機器（他のＰＤＡ１００等）も、その機器が現在、当該所定のリストのうちのどのステータスであるかに関する情報をサーバに提供するように構成されてもよい。
【００７６】
各機器のステータスがサーバにログインされている場合、それらのステータスは、少なくとも、ステータスがサーバにログインされた他の機器（ＰＤＡ等）によってアクセス可能である。以下の取り得るステータスに関する説明から理解されるように、１つの機器（ＰＤＡ１００等）は、その時々で、サーバにログインされた０個、１個、又は２個以上のステータスを取り得る。
【００７７】
上記の説明は、ＸＭＬパケットの形式で、ＲＳＳフィードを用いて互いのステータス情報にアクセスする機器に関するものであったが、ＰＤＡ１００が他の機器のステータス情報にアクセスするとともに、自身のステータス情報を他の機器に提供できるようにするための任意の他の方法、技術及び／又は装置が提供されてもよい。
【００７８】
ＰＤＡ１００が提供又はアクセスすることができるステータス情報は、ＰＤＡ１００が現在何のために用いられているかに関する情報、ＰＤＡ１００が位置する場所に関する情報、及び電源状態に関する情報を含む。例えば、ステータス情報は、ＰＤＡ１００が、動画（又は特定のタイプの動画）の閲覧、音楽（又は特定のタイプの音楽）の鑑賞、画像（写真等）の閲覧、インターネットサーフィン、電子メールの送信、ゲームのプレイ、又は通話のいずれに用いられているかを示す情報である。これに加えて、又はこれに代えて、ステータス情報は、ＰＤＡ１００の位置に関するものであってもよい。この場合、ステータス情報は、地理的な位置（例えば、座標及び／又は緯度／経度情報）だけでなく、ＰＤＡ１００が、ＰＤＡ１００のユーザが指定した所定の場所（自宅又は勤務地等）に位置するかどうかに関する情報であってもよい。ＰＤＡ１００は、ＧＰＳ又は任意の他の適切な三角測量法を用いて、自身の位置を判定してもよい。さらに、ステータス情報は、ＰＤＡがオン状態であるか否か、現在アクティブであるか否か、又はスリープモード若しくはハイバネーションモードにあるか否かに関する情報であってもよい。
【００７９】
上記のステータス情報の例から、ＰＤＡ１００は、その時々で、２つ以上のステータスを取ることができ、また、それらステータスについての情報を他の機器に提供することができることが分かる。例えば、ＰＤＡ１００は、アクティブである、音楽鑑賞に用いられている、自宅に位置しているということを示すステータス情報を、同時に提供することができる。
【００８０】
ＰＤＡ１００は、自身のステータスを（他の機器に提供できるように）任意の適当な方法で認識するように構成されてもよい。一実施形態では、ＰＤＡ１００のステータスを判断するためのソフトウェアが提供される。例えば、ＰＤＡ１００は、ＰＤＡ１００が音楽ファイルへのアクセスのために用いられ、且つ／又は音楽ファイルの出力のために用いられているとき、自身が音楽鑑賞のために用いられていることを認識するように構成されてもよい。これに代えて、またはこれに加えて、ステータス情報は、ＰＤＡ１００により、ハードウェアを用いて構成されてもよい。例えば、ＰＤＡ１００は、図２に示すヘッドホンソケット２００にヘッドホンプラグが挿されたときに、自身が音楽鑑賞に用いられていることを認識するように構成されてもよい。
【００８１】
ＰＤＡ１００は、任意の適当な時に、他の機器（例えば、同様又は同じタイプのＰＤＡ１００）のステータスに関する情報にアクセスするように構成されてもよい。例えば、ＰＤＡ１００は、１日に１回等の所定の時間間隔で、他の機器についてのステータス情報を得るように構成されてもよい。これに代えて、又はこれに加えて、ＰＤＡ１００は、ＰＤＡ１００のユーザがＰＤＡ１００の所定の機能を実行したときに、（例えば上述のサーバにアクセスすることにより）他の機器のステータス情報を得るように構成されてもよい。例えば、ＰＤＡ１００は、ＰＤＡ１００の電源が入れられたとき、又はユーザが特定の機能若しくはモードを選択したとき（例えば、特定連絡先画面への切り替え等）に、他の機器についてのステータス情報にアクセスするように構成されてもよい。これに代えて、又はこれに加えて、ＰＤＡ１００は、ＰＤＡ１００のユーザが、必要に応じて、他の機器についての情報へアクセス可能となるよう命令できるように構成されてもよい。
【００８２】
ＰＤＡ１００は、他の機器についてのステータス情報を、種々の異なる方法で、また、種々の異なる動機により用いることができる。例えば、ステータス情報は、一例として、その時々でどのＰＤＡ１００のユーザの連絡先を特定連絡先として表示するか、すなわち、特定連絡先画面がユーザによりアクセスされたとき、どのユーザの連絡先を表示し、且つ／又はアクセス可能とすべきかを決定する際に用いられる。
【００８３】
このように、ＰＤＡ１００の特定連絡先画面に表示される特定連絡先は、その時々で、ＰＤＡ１００自体のステータス及び／又はそのＰＤＡ１００のユーザの連絡先に属する機器のステータスに基づいて決定することができる。例えば、ＰＤＡ１００は、そのＰＤＡ１００が位置する場所（例えばＧＰＳにより判定される）に応じて、異なる連絡先を表示するように構成されてもよい。例えば、ＰＤＡ１００がそのユーザの勤務地に位置する場合、仕事上の連絡先の所定のリストが特定連絡先として表示される。これらの連絡先は、例えば、ＰＤＡ１００のユーザと一緒に働いている人、又は仕事上の理由で連絡を取る必要のある人等である。
【００８４】
これに代えて、又はこれに加えて、ＰＤＡ１００は、自身のステータスに基づいて、特定連絡先をアクティブに選択するように構成されてもよい。例えば、ＰＤＡ１００は、勤務地に位置しているとき、ＰＤＡ１００のユーザのアドレス帳にある各連絡先を検索して、それらの連絡先のステータス情報に（例えば、上述した技術及び装置を用いて）アクセスし、それらの連絡先も仕事中であるか否かを判断するように構成されてもよい。その後、仕事中であることがステータスにより示された機器の連絡先が特定連絡先としてＰＤＡ１００に表示される。図１に示す画面の例では、アバター２０１〜２０５により示される連絡先のすべてが仕事中であり、ＰＤＡ１００のユーザも仕事中である。
【００８５】
このように、ＰＤＡ１００は、特定連絡先の所定のリスト及び／又はアクティブなリスト（すなわち、ＰＤＡ１００が他の機器についてのステータス情報を取得し、それを用いて決定したリスト）を特定連絡先として表示するように構成されてもよい。アクティブなリストと所定のリストのどちらを表示するかは、例えばユーザの好みに応じて決定される。
【００８６】
さらなる実施形態として、ＰＤＡ１００が音楽鑑賞に用いられている場合、それに応じてＰＤＡ１００の特定連絡先を選択することができる。例えば、ＰＤＡ１００は、音楽鑑賞に用いられているとき、特定連絡先の所定のリスト（たとえば、音楽を特に好む連絡先、又はＰＤＡ１００が出力しているジャンルの音楽を特に好む連絡先）を特定連絡先として表示するように構成されてもよい。これに代えて、又はこれに加えて、ＰＤＡ１００は、音楽鑑賞に用いられているとき、他の機器についてのステータス情報を取得し、特定連絡先のアクティブなリストを生成するように構成されてもよい。例えば、特定連絡先のリストは、現在音楽鑑賞している連絡先、又は現在特定のジャンルの音楽を鑑賞している連絡先を含んでいてもよい。
【００８７】
さらなる実施形態として、ＰＤＡ１００は、マップ連絡先機能が（たとえばＰＤＡ１００を傾けるか又は回転させることにより）選択されると、所定数の連絡先の位置を、最も地理的に近い連絡先から順に表示するように構成されてもよい。例えば、近い順に２人、５人、１０人又は２０人の連絡先を示すマップが表示される。
【００８８】
特定連絡先は、例えばＰＤＡ１００のユーザが行っているインターネット検索に関連付けられてもよい。例えば、ＰＤＡ１００のユーザが特定のサービス（レストラン又は特定の種類の店舗等）を検索している場合、特定連絡先リストは、その特定のサービスのレビューを例えばインターネット上に投稿した連絡先を含む。
【００８９】
さらなる実施形態として、特定連絡先は、ＰＤＡ１００のユーザが登録されているグループと関連付けられてもよい。例えば、ＰＤＡ１００のユーザが写真クラブに登録されている場合、ＰＤＡ１００が写真撮影に用いられると、特定連絡先は、写真クラブに所属している他の電子機器のユーザとなる。これにより、撮影した写真をクラブの他のメンバーに送信したい場合の処理が容易になる。
【００９０】
他の電子機器からステータス情報を受信するステップ、他の電子機器のステータス情報とＰＤＡ１００のステータスを比較するステップ、及びこの比較に基づいて特定連絡先のリストを決定するステップは、ＰＤＡ１００内の処理部を用いて実行されてよい。
【００９１】
ＰＤＡ１００の特定連絡先画面に表示される特定連絡先は、時間の経過に伴って更新されてもよい。例えば、音楽を聴き続けているユーザもいれば、音楽を聴き始めるユーザもおり、また、それまで音楽を聴いていたユーザがそれを中止することもある。このような、各種の連絡先の変化するステータスを、特定連絡先のリストを時間の経過に伴って変更することによって更新することができる。或いは、ＰＤＡ１００は、ＰＤＡ１００のステータスが変化する度に生成される特定連絡先のリストが、次にＰＤＡ１００のステータスが変化するときまで固定されるように構成されてもよい。
【００９２】
このように、特定連絡先のリストにより、ＰＤＡ１００のユーザは、その時々で最も連絡を取りたいと思う可能性が高い連絡先のリストに容易にアクセスできるようになる。
【図１】
2010182308.tif 000003
【図２】
2010182308.tif 000004
【図３】
2010182308.tif 000005
【図４】
2010182308.tif 000006
【図５】
2010182308.tif 000007
【図６】
2010182308.tif 000008